(57)【要約】      （修正有）【課題】ラウドスピーカ装置の提供。【解決手段】ラウドスピーカ装置であって、リスナーの頭部１０３が聴き取り位置内にあるよう、座席に座している前記リスナーを支持するように構成されている前記座席と、前記座席に固定され、前記頭部が前記聴き取り位置内にあるとき、前記座席の背もたれの前方の位置で、かつ前記頭部の一方の側に少なくとも部分的に配設されるラウドスピーカアレイ１０４であって、少なくとも１つのラウドスピーカ１０５を備え、主放送方向を表す主放送軸を有し、前記ラウドスピーカアレイの前記主放送方向が、前記頭部を指し示す、前記ラウドスピーカアレイとを備える、前記ラウドスピーカ装置。【選択図】図３
2020063036.tif 000002
【特許請求の範囲】
【請求項１】
ラウドスピーカ装置であって、
リスナーの頭部が聴き取り位置内にあるよう、座席に座している前記リスナーを支持するように構成されている前記座席と、
前記座席に固定され、前記頭部が前記聴き取り位置内にあるとき、前記座席の背もたれの前方の位置で、かつ前記頭部の一方の側に少なくとも部分的に配設されるラウドスピーカアレイであって、少なくとも１つのラウドスピーカを備え、主放送方向を表す主放送軸を有し、前記ラウドスピーカアレイの前記主放送方向が、前記頭部を指し示す、前記ラウドスピーカアレイと
を備える、前記ラウドスピーカ装置。
【請求項２】
前記座席に固定され、前記頭部が前記聴き取り位置内にあるとき、前記座席の前記背もたれの前方の位置で、かつ前記頭部の一方の側に少なくとも部分的に配設されるさらなるラウドスピーカアレイをさらに備え、
前記ラウドスピーカアレイ及び前記さらなるラウドスピーカアレイが、前記頭部の両側に配設され、
前記さらなるラウドスピーカアレイが、少なくとも１つのラウドスピーカを備え、主放送方向を表す主放送軸を有し、前記さらなるラウドスピーカアレイの前記主放送方向が、前記頭部を指し示す、請求項１に記載のラウドスピーカ装置。
【請求項３】
前記ラウドスピーカアレイ及び前記さらなるラウドスピーカアレイのうちの少なくとも一方の前記主放送方向が、前記頭部の下顎または口を指し示す、請求項２に記載の装置。
【請求項４】
前記座席に取り付けられたヘッドレストをさらに備え、
前記ラウドスピーカアレイ及び前記さらなるラウドスピーカアレイのうちの少なくとも一方が、前記ヘッドレストを介して前記座席に固定されている、請求項２に記載の装置
【請求項５】
前記ラウドスピーカアレイ及び前記さらなるラウドスピーカアレイのうちの少なくとも一方を前記座席に固定するように構成されている支持構造体をさらに備える、請求項２に記載の装置。
【請求項６】
前記支持構造体が、前記座席の前記ヘッドレストまたは前記背もたれにおいて、傾斜自在、シフト自在、または格納自在である、請求項５に記載の装置。
【請求項７】
前記ラウドスピーカアレイ及び前記さらなるラウドスピーカアレイのうちの少なくとも一方が、ハウジング内に組み込まれている、請求項２に記載の装置。
【請求項８】
前記ハウジングが、少なくとも２つの別個の音響容量部を有する、請求項７に記載の装置。
【請求項９】
ｚ軸に沿うレベルを有する中央点を含み、前記レベルが、前記ｚ軸に沿う前記頭部の下顎または口の前記レベルに対応し、
前記ｚ軸が、前記ラウドスピーカアレイ及び前記さらなるラウドスピーカアレイのうちの少なくとも一方の中央点を横切り、垂直方向に延びる、請求項２に記載の装置。
【請求項１０】
前記ラウドスピーカアレイ及び前記さらなるラウドスピーカアレイのうちの少なくとも一方が、前記ｚ軸とｙ軸との間の角度によって傾斜され、
前記ｙ軸が、前記中央点を垂直に横切り、前記ｚ軸と前記ｙ軸との間の前記角度が、０°から５０°の間である、請求項９に記載の装置。
【請求項１１】
前記ラウドスピーカアレイ及び前記さらなるラウドスピーカアレイのうちの少なくとも一方が、前記ｙ軸とｘ軸との間の角度において傾斜され、
前記ｘ軸が、前記中央点及びヘッドレストを横切り、水平方向に延び、前記ｙ軸と前記ｘ軸との間の前記角度が、０°から３０°の間である、請求項1０に記載の装置。
【請求項１２】
前記中央点が、前記ｘ軸に沿って、前記リスナーの耳に、または前記リスナーの前記耳の後ろに、または前記リスナーの前記耳の前方に対応する位置内にある、請求項１１に記載の装置。
【請求項１３】
それぞれ前記中央点を伴う前記ラウドスピーカアレイ及び前記さらなるラウドスピーカアレイを備え、
前記ラウドスピーカアレイの前記中央点及び前記さらなるラウドスピーカアレイの前記中央点との間の距離が、ヘッドレストの幅よりも大きく、前記座席の前記背もたれの幅以下である、請求項９に記載の装置。
【請求項１４】
前記リスナーの遮るものがない全景を可能にするように構成されている上側レベルを有する、請求項１に記載の装置。
【請求項１５】
前記ラウドスピーカアレイ及び前記さらなるラウドスピーカアレイのうちの少なくとも一方が、２つの同一のラウドスピーカを備える、請求項２に記載の装置。
【請求項１６】
同一のラウドスピーカを備える前記ラウドスピーカアレイ及び同一のラウドスピーカを備える前記さらなるラウドスピーカアレイのうちの少なくとも一方の中央点が、前記２つの同一のラウドスピーカ間の距離の半分によって、または前記２つの同一のラウドスピーカのうちの一方の中央によって画定される、請求項１５に記載の装置。
【請求項１７】
前記ラウドスピーカアレイ及び前記さらなるラウドスピーカアレイのうちの少なくとも一方が、異なるスペクトル特性を伴う２つのラウドスピーカをさらに備える、請求項１６に記載の装置。
【請求項１８】
異なるスペクトル特性を伴う前記２つのラウドスピーカのうちの一方が、より低い周波数特性を有し、前記ラウドスピーカうちのもう一方が、より高い周波数特性を有する、請求項１７に記載の装置。
【請求項１９】
異なるスペクトル特性を伴うラウドスピーカを備える前記ラウドスピーカアレイ及び異なるスペクトル特性を伴うラウドスピーカを備える前記さらなるラウドスピーカアレイのうちの少なくとも一方の前記中央点が、前記より高い周波数特性を伴う前記２つのラウドスピーカの中心によって画定される、請求項１８に記載の装置。
【請求項２０】
異なるスペクトル特性を伴うラウドスピーカを備える前記ラウドスピーカアレイ及び異なるスペクトル特性を伴うラウドスピーカを備える前記さらなるラウドスピーカアレイのうちの少なくとも一方の前記中央点が、前記リスナーの耳に対応する位置、または前記リスナーの前記耳と、前記座席のヘッドレストもしくは前記座席の前記背もたれとの間の位置に対応する位置に配設されている、請求項１９に記載の装置。
【請求項２１】
前記ラウドスピーカアレイ及び前記さらなるラウドスピーカアレイのうちの少なくとも一方に配設されている少なくとも１つのマイクロフォンをさらに備える、請求項２に記載の装置。
【請求項２２】
前記リスナーの耳または前記リスナーの口に隣接して配設されている前記少なくとも１つのマイクロフォンをさらに備える、請求項２１に記載の装置。
【請求項２３】
前記ハウジングの上側半分に配設される少なくとも１つのマイクロフォンをさらに備える、請求項７に記載の装置。
【請求項２４】
ヘッドレストを有する座席内のラウドスピーカ装置であって、前記ヘッドレストは、リスナーの頭部が聴き取り位置内にあるよう、前記座席内の前記リスナーを支持するように構成され、前記装置が、
前記ヘッドレストにおいて、傾斜自在、シフト自在、または格納自在である支持構造体と、
第１の担体上の第１のハウジング内の前記支持構造体に固定される第１のラウドスピーカアレイであって、前記頭部が前記聴き取り位置内にあるとき、前記座席の背もたれの前方の位置で、かつ前記頭部の一方の側に少なくとも部分的に配設される、前記第１のラウドスピーカアレイと、
主放送方向を表す主放送軸を有する前記第１のラウドスピーカアレイ内の少なくとも１つのラウドスピーカであって、前記ラウドスピーカアレイの前記主放送方向が、前記頭部を指し示す、前記第１のラウドスピーカアレイ内の前記少なくとも１つのラウドスピーカと、
第２の担体上の第２のハウジング内の前記支持構造体に固定される第２のラウドスピーカアレイであって、前記頭部が前記聴き取り位置内にあるとき、前記座席の前記背もたれの前方の位置で、かつ前記頭部の一方の側に少なくとも部分的に配設され、前記第１のラウドスピーカアレイ及び前記第２のラウドスピーカアレイが、前記頭部の両側に配設される、前記第２のラウドスピーカアレイと、
主放送方向を表す主放送軸を有する前記第２のラウドスピーカアレイ内の少なくとも１つのラウドスピーカであって、前記第２のラウドスピーカアレイの前記主放送方向が、前記頭部を指し示す、前記第２のラウドスピーカアレイ内の前記少なくとも１つのラウドスピーカと
を備え、
前記第１のラウドスピーカアレイ、前記第２のラウドスピーカアレイ、前記第１のハウジング、前記第２のハウジング、前記第１の担体、及び前記第２の担体のうちの少なくとも１つが、画定された離脱縁部を有する、前記装置。
【請求項２５】
前記第１のハウジングに関連付けられる第１の音響容量部と、前記第２のハウジングに関連付けられる第２の音響容量部とをさらに備える、請求項２４に記載の装置。
【請求項２６】
ｚ軸に沿うレベルを有する中央点をさらに備え、前記レベルが、前記ｚ軸に沿う前記頭部の下顎または口のレベルに対応し、
前記ｚ軸が、前記第１のラウドスピーカアレイ及び前記第２のラウドスピーカアレイのうちの少なくとも一方の中央点を横切り、垂直方向に延びる、請求項２４に記載の装置。
【請求項２７】
前記第１のラウドスピーカアレイの前記中央点と前記第２のラウドスピーカアレイの前記中央点との間の距離が、前記ヘッドレストの幅よりも大きく、前記座席の前記背もたれの幅以下である、請求項２６に記載の装置。
【請求項２８】
前記リスナーの遮るものがない全景を可能にするように構成されている上側レベルをさらに備える、請求項２４に記載の装置。
【請求項２９】
前記第１のラウドスピーカアレイ、前記第２のラウドスピーカアレイ、前記第１のハウジング、前記第２のハウジング、前記第１の担体、及び前記第２の担体のうちの少なくとも１つに配設される少なくとも１つのマイクロフォンをさらに備える、請求項２４に記載の装置。
【請求項３０】
前記少なくとも１つのマイクロフォンが、前記第１のハウジング、前記第２のハウジング、前記第１の担体、及び前記第２の担体の上側半分に配設されている、請求項２９に記載の装置。
【請求項３１】
前記少なくとも１つのマイクロフォンが、前記リスナーの口または前記リスナーの耳に隣接して配設されている、請求項２９に記載の装置。
【発明の詳細な説明】
【技術分野】
【０００１】
相互参照
本出願は、２０１８年１０月１７日に出願の米国特許仮出願第６２／７４６，８１７号の便益を主張するものであり、その開示は、全体が参照により組み込まれている。
【０００２】
本開示は、ラウドスピーカ装置に関する。
【背景技術】
【０００３】
たとえば、個々のサウンドゾーン（ＩＳＺ）システムは、仮想源、またはこの文脈では「個々のサウンドゾーン」（ＩＳＺ）、または単にサウンドゾーンとも呼ばれる相互に隔離された音響ゾーンを任意の所与の空間内に生成することができる。個々のサウンドゾーンの創出は、様々な領域内に異なる音響源を提供することができるだけでなく、特に、音響的に隔離されたゾーン内でスピーカフォンの会話を行うことが期待されるので、より大きい注目を集めている。ＩＳＺシステムは、特定の場所では、明るいゾーンと呼ばれる音響的に照らされた（増強された）ゾーンと、他の領域では、暗いゾーンと呼ばれる音響的に暗くされた（抑制された）ゾーンとを生成する音響波場を生み出す。明るいゾーンと暗いゾーンとの間の音響的コントラストが大きいほど、特定のゾーン間のクロストーク消去（ＣＴＣ）はより効果的になり、ＩＳＺシステムはより良く実行することになる。
【０００４】
一般的なＩＳＺシステムは、たとえば、車両内に搭載される際、座席のヘッドレスト内に組み込まれているラウドスピーカを利用する。したがって、ラウドスピーカは、リスナーが座席に着座しているときのリスナーの頭部の後方に配設され、それは、大抵の場合、対応するサウンドゾーンの後方端部であることを意味する。このことは、サウンドが、後方から生じると、必然的に知覚されるので、明るいゾーン内の望ましくない音響性能につながり、それにより、リスナーに対して不自然なサウンド印象がもたらされる。さらには、サウンドがリスナーの頭部及び肩で回折すると、ヘッドレスト内のラウドスピーカによって放射されるサウンドが非常に散乱するので、ＣＴＣ性能が一層悪化することがあるＩＳＺシステム、及び同様のラウドスピーカ装置を利用するシステムの性能を改善することが望ましい。
【発明の概要】
【課題を解決するための手段】
【０００５】
一例示的なラウドスピーカ装置は、リスナーの頭部が聴き取り位置内にあるよう、座席に座しているリスナーを支持するように構成されている座席と、座席に固定され、頭部が聴き取り位置内にあるとき、座席の背もたれの前方の位置で、かつ頭部の側方の位置に少なくとも部分的に配設されるラウドスピーカアレイとを含む。ラウドスピーカアレイは、少なくとも１つのラウドスピーカを含み、主放送方向を表す主放送軸を有し、ラウドスピーカアレイの主放送方向は、頭部を指し示す。
【０００６】
他の装置、特徴、及び利点は、以下の詳細な説明及び添付の図を検討すると、当業者に明らかであり、または明らかになるであろう。全てのそのような追加の装置、特徴、及び利点は、本明細書内に含まれ、本発明の範囲内にあり、かつ添付の特許請求の範囲によって保護されることが意図される。
【０００７】
装置は、以下の図面及び説明を参照してより良く理解され得る。図中の構成要素は、必ずしも原寸に比例するとは限らず、代わりに、本発明の原理を例示することを重視する。さらに図中で、同様の参照数字は、異なる図全体にわたって対応する部品を指定する。
例えば、本願は以下の項目を提供する。
（項目１）
ラウドスピーカ装置であって、
リスナーの頭部が聴き取り位置内にあるよう、座席に座している上記リスナーを支持するように構成されている上記座席と、
上記座席に固定され、上記頭部が上記聴き取り位置内にあるとき、上記座席の背もたれの前方の位置で、かつ上記頭部の一方の側に少なくとも部分的に配設されるラウドスピーカアレイであって、少なくとも１つのラウドスピーカを備え、主放送方向を表す主放送軸を有し、上記ラウドスピーカアレイの上記主放送方向が、上記頭部を指し示す、上記ラウドスピーカアレイと
を備える、上記ラウドスピーカ装置。
（項目２）
上記座席に固定され、上記頭部が上記聴き取り位置内にあるとき、上記座席の上記背もたれの前方の位置で、かつ上記頭部の一方の側に少なくとも部分的に配設されるさらなるラウドスピーカアレイをさらに備え、
上記ラウドスピーカアレイ及び上記さらなるラウドスピーカアレイが、上記頭部の両側に配設され、
上記さらなるラウドスピーカアレイが、少なくとも１つのラウドスピーカを備え、主放送方向を表す主放送軸を有し、上記さらなるラウドスピーカアレイの上記主放送方向が、上記頭部を指し示す、上記項目に記載のラウドスピーカ装置。
（項目３）
上記ラウドスピーカアレイ及び上記さらなるラウドスピーカアレイのうちの少なくとも一方の上記主放送方向が、上記頭部の下顎または口を指し示す、上記項目のいずれか一項に記載の装置。
（項目４）
上記座席に取り付けられたヘッドレストをさらに備え、
上記ラウドスピーカアレイ及び上記さらなるラウドスピーカアレイのうちの少なくとも一方が、上記ヘッドレストを介して上記座席に固定されている、上記項目のいずれか一項に記載の装置
（項目５）
上記ラウドスピーカアレイ及び上記さらなるラウドスピーカアレイのうちの少なくとも一方を上記座席に固定するように構成されている支持構造体をさらに備える、上記項目のいずれか一項に記載の装置。
（項目６）
上記支持構造体が、上記座席の上記ヘッドレストまたは上記背もたれにおいて、傾斜自在、シフト自在、または格納自在である、上記項目のいずれか一項に記載の装置。
（項目７）
上記ラウドスピーカアレイ及び上記さらなるラウドスピーカアレイのうちの少なくとも一方が、ハウジング内に組み込まれている、上記項目のいずれか一項に記載の装置。
（項目８）
上記ハウジングが、少なくとも２つの別個の音響容量部を有する、上記項目のいずれか一項に記載の装置。
（項目９）
ｚ軸に沿うレベルを有する中央点を含み、上記レベルが、上記ｚ軸に沿う上記頭部の下顎または口の上記レベルに対応し、
上記ｚ軸が、上記ラウドスピーカアレイ及び上記さらなるラウドスピーカアレイのうちの少なくとも一方の中央点を横切り、垂直方向に延びる、上記項目のいずれか一項に記載の装置。
（項目１０）
上記ラウドスピーカアレイ及び上記さらなるラウドスピーカアレイのうちの少なくとも一方が、上記ｚ軸とｙ軸との間の角度によって傾斜され、
上記ｙ軸が、上記中央点を垂直に横切り、上記ｚ軸と上記ｙ軸との間の上記角度が、０°から５０°の間である、上記項目のいずれか一項に記載の装置。
（項目１１）
上記ラウドスピーカアレイ及び上記さらなるラウドスピーカアレイのうちの少なくとも一方が、上記ｙ軸とｘ軸との間の角度において傾斜され、
上記ｘ軸が、上記中央点及びヘッドレストを横切り、水平方向に延び、上記ｙ軸と上記ｘ軸との間の上記角度が、０°から３０°の間である、上記項目のいずれか一項に記載の装置。
（項目１２）
上記中央点が、上記ｘ軸に沿って、上記リスナーの耳に、または上記リスナーの上記耳の後ろに、または上記リスナーの上記耳の前方に対応する位置内にある、上記項目のいずれか一項に記載の装置。
（項目１３）
それぞれ上記中央点を伴う上記ラウドスピーカアレイ及び上記さらなるラウドスピーカアレイを備え、
上記ラウドスピーカアレイの上記中央点及び上記さらなるラウドスピーカアレイの上記中央点との間の距離が、ヘッドレストの幅よりも大きく、上記座席の上記背もたれの幅以下である、上記項目のいずれか一項に記載の装置。
（項目１４）
上記リスナーの遮るものがない全景を可能にするように構成されている上側レベルを有する、上記項目のいずれか一項に記載の装置。
（項目１５）
上記ラウドスピーカアレイ及び上記さらなるラウドスピーカアレイのうちの少なくとも一方が、２つの同一のラウドスピーカを備える、上記項目のいずれか一項に記載の装置。
（項目１６）
同一のラウドスピーカを備える上記ラウドスピーカアレイ及び同一のラウドスピーカを備える上記さらなるラウドスピーカアレイのうちの少なくとも一方の中央点が、上記２つの同一のラウドスピーカ間の距離の半分によって、または上記２つの同一のラウドスピーカのうちの一方の中央によって画定される、上記項目のいずれか一項に記載の装置。
（項目１７）
上記ラウドスピーカアレイ及び上記さらなるラウドスピーカアレイのうちの少なくとも一方が、異なるスペクトル特性を伴う２つのラウドスピーカをさらに備える、上記項目のいずれか一項に記載の装置。
（項目１８）
異なるスペクトル特性を伴う上記２つのラウドスピーカのうちの一方が、より低い周波数特性を有し、上記ラウドスピーカうちのもう一方が、より高い周波数特性を有する、上記項目のいずれか一項に記載の装置。
（項目１９）
異なるスペクトル特性を伴うラウドスピーカを備える上記ラウドスピーカアレイ及び異なるスペクトル特性を伴うラウドスピーカを備える上記さらなるラウドスピーカアレイのうちの少なくとも一方の上記中央点が、上記より高い周波数特性を伴う上記２つのラウドスピーカの中心によって画定される、上記項目のいずれか一項に記載の装置。
（項目２０）
異なるスペクトル特性を伴うラウドスピーカを備える上記ラウドスピーカアレイ及び異なるスペクトル特性を伴うラウドスピーカを備える上記さらなるラウドスピーカアレイのうちの少なくとも一方の上記中央点が、上記リスナーの耳に対応する位置、または上記リスナーの上記耳と、上記座席のヘッドレストもしくは上記座席の上記背もたれとの間の位置に対応する位置に配設されている、上記項目のいずれか一項に記載の装置。
（項目２１）
上記ラウドスピーカアレイ及び上記さらなるラウドスピーカアレイのうちの少なくとも一方に配設されている少なくとも１つのマイクロフォンをさらに備える、上記項目のいずれか一項に記載の装置。
（項目２２）
上記リスナーの耳または上記リスナーの口に隣接して配設されている上記少なくとも１つのマイクロフォンをさらに備える、上記項目のいずれか一項に記載の装置。
（項目２３）
上記ハウジングの上側半分に配設される少なくとも１つのマイクロフォンをさらに備える、上記項目のいずれか一項に記載の装置。
（項目２４）
ヘッドレストを有する座席内のラウドスピーカ装置であって、上記ヘッドレストは、リスナーの頭部が聴き取り位置内にあるよう、上記座席内の上記リスナーを支持するように構成され、上記装置が、
上記ヘッドレストにおいて、傾斜自在、シフト自在、または格納自在である支持構造体と、
第１の担体上の第１のハウジング内の上記支持構造体に固定される第１のラウドスピーカアレイであって、上記頭部が上記聴き取り位置内にあるとき、上記座席の背もたれの前方の位置で、かつ上記頭部の一方の側に少なくとも部分的に配設される、上記第１のラウドスピーカアレイと、
主放送方向を表す主放送軸を有する上記第１のラウドスピーカアレイ内の少なくとも１つのラウドスピーカであって、上記ラウドスピーカアレイの上記主放送方向が、上記頭部を指し示す、上記第１のラウドスピーカアレイ内の上記少なくとも１つのラウドスピーカと、
第２の担体上の第２のハウジング内の上記支持構造体に固定される第２のラウドスピーカアレイであって、上記頭部が上記聴き取り位置内にあるとき、上記座席の上記背もたれの前方の位置で、かつ上記頭部の一方の側に少なくとも部分的に配設され、上記第１のラウドスピーカアレイ及び上記第２のラウドスピーカアレイが、上記頭部の両側に配設される、上記第２のラウドスピーカアレイと、
主放送方向を表す主放送軸を有する上記第２のラウドスピーカアレイ内の少なくとも１つのラウドスピーカであって、上記第２のラウドスピーカアレイの上記主放送方向が、上記頭部を指し示す、上記第２のラウドスピーカアレイ内の上記少なくとも１つのラウドスピーカと
を備え、
上記第１のラウドスピーカアレイ、上記第２のラウドスピーカアレイ、上記第１のハウジング、上記第２のハウジング、上記第１の担体、及び上記第２の担体のうちの少なくとも１つが、画定された離脱縁部を有する、上記装置。
（項目２５）
上記第１のハウジングに関連付けられる第１の音響容量部と、上記第２のハウジングに関連付けられる第２の音響容量部とをさらに備える、上記項目に記載の装置。
（項目２６）
ｚ軸に沿うレベルを有する中央点をさらに備え、上記レベルが、上記ｚ軸に沿う上記頭部の下顎または口のレベルに対応し、
上記ｚ軸が、上記第１のラウドスピーカアレイ及び上記第２のラウドスピーカアレイのうちの少なくとも一方の中央点を横切り、垂直方向に延びる、上記項目のいずれか一項に記載の装置。
（項目２７）
上記第１のラウドスピーカアレイの上記中央点と上記第２のラウドスピーカアレイの上記中央点との間の距離が、上記ヘッドレストの幅よりも大きく、上記座席の上記背もたれの幅以下である、上記項目のいずれか一項に記載の装置。
（項目２８）
上記リスナーの遮るものがない全景を可能にするように構成されている上側レベルをさらに備える、上記項目のいずれか一項に記載の装置。
（項目２９）
上記第１のラウドスピーカアレイ、上記第２のラウドスピーカアレイ、上記第１のハウジング、上記第２のハウジング、上記第１の担体、及び上記第２の担体のうちの少なくとも１つに配設される少なくとも１つのマイクロフォンをさらに備える、上記項目のいずれか一項に記載の装置。
（項目３０）
上記少なくとも１つのマイクロフォンが、上記第１のハウジング、上記第２のハウジング、上記第１の担体、及び上記第２の担体の上側半分に配設されている、上記項目のいずれか一項に記載の装置。
（項目３１）
上記少なくとも１つのマイクロフォンが、上記リスナーの口または上記リスナーの耳に隣接して配設されている、上記項目のいずれか一項に記載の装置。
（摘要）
一例示的なラウドスピーカ装置は、リスナーの頭部が聴き取り位置にあるよう、座席に座しているリスナーを支持するように構成されている座席と、座席に固定され、頭部が聴き取り位置にあるとき、座席の背もたれの前方の位置で、かつ頭部の側面に配設されるラウドスピーカアレイとを含む。ラウドスピーカアレイは、少なくとも１つのラウドスピーカを含み、主放送方向を表す主放送軸を有し、ラウドスピーカアレイの主放送方向は、頭部を指し示す。
【図面の簡単な説明】
【０００８】
【図１】一例示的な音響ヘッドレストを備える座席に座するリスナーの斜視図である。
【図２】図１に示す状況の正面図である。
【図３】図１及び図２に示す状況の上面図である。
【図４】図１〜図３に示す状況の側面図である。
【図５】ハウジング内に組み込まれ、単一のラウドスピーカを有するラウドスピーカを示す概略図である。
【図６】ハウジング内に組み込まれ、２つの同一のラウドスピーカを有するラウドスピーカアレイを示す概略図である。
【図７】ハウジング内に組み込まれた２方式ラウドスピーカを示す概略図である。
【発明を実施するための形態】
【０００９】
リスナーの耳のより近くにラウドスピーカを配設することによって、たとえば、リスナーの頭部に対して側方の位置にラウドスピーカを設置することによって、明るいゾーンに、より自然なサウンド知覚を生み出すことができるだけでなく、より良いＣＴＣ性能を達成できることが見出されている。部屋（たとえば、硬質な反射表面の大きさ及び位置によって画定される）の音響特性を考慮に入れることによって、さらなる改善が達成され得る。それに従って設計されたラウドスピーカ装置は、耳の位置に音響的にスポットライトを当てることによって、明るいゾーンの音響を改善し、暗いゾーン内で知覚される反射サウンドエネルギーを低減させることによって、及びヘッドレストスピーカの改善された位置調整を使用することによって、ＣＴＣ性能を改善し、それにより、リスナーの頭部及び肩から、ならびに部屋の反射表面からの反射によって生じる音響的干渉が有意に低減することになる。ラウドスピーカ位置を（明るい及び暗い）サウンドゾーンに適合させることによって、システムの受動側における改善が達成される。
【００１０】
図１は、リスナー１０１がヘッドレスト１０２を備えた座席（図示せず）に着座したときに、リスナーの頭部１０３の聴き取り位置が画定される、リスナー１０１の前方右方向からのリスナー１０１の斜視図である。２つのラウドスピーカアレイ１０４及び１０５が（アレイ１０５は、図１では見えない）、ヘッドレスト１０２を介して座席に取り付けられ、頭部１０３が聴き取り位置内にあるとき、座席の背もたれの前方で、かつ頭部１０３の両側の適所に配設される。このことは、ラウドスピーカアレイ１０４及び１０５が、頭部１０３の側方に、すなわち、頭部１０３の耳１０６及び１０７に隣接して（耳１０７は、図１では見えない）配設されることを意味する。ラウドスピーカアレイ１０４及び１０５は、それぞれの主放送方向を表す主放送軸（方向）１０８、１０９を有する。２つのラウドスピーカアレイ１０４及び１０５の主放送方向は、頭部１０３を指し示す。示されている例では、主放送方向は、頭部１０３の下顎１１０または口１１１を指し示す。
【００１１】
ラウドスピーカアレイ１０４及び１０５は、座席に直接的に（図示せず）または間接的に（図示）固定され得る。示されている例では、乗り手の安全性及び／または快適性のために、全体的にまたは部分的に発泡層もしくは他の任意の適切な軟質材料によりコーティングされ得る金属、プラスチック、あるいは他の任意の適切な剛体材料から作製された、基本的にｕ形状の剛体シート１１２が、ヘッドレスト１０２の上に上から下に被せられている。多かれ少なかれｕ形状の支持構造体１１３が、シート１１２の後方側で、すなわち、頭部１０３から背を向けた側でシート１１２に固定され、頭部１０３に対して側方位置にラウドスピーカアレイ１０４及び１０５を支持するように配設されている。代替として、支持構造体は、ヘッドレスト１０２または座席（たとえば、その背もたれ）に直接的に固定されてもよい。示されている例では、支持構造体１１３は、多数の（たとえば、５つの）相互連結部品を含むが、代替として、一体に、すなわち、単一片で設計されていてもよい。さらなる代替形態では、単一片または多片支持構造体は、背もたれまたはヘッドレストに組み込まれていてもよい。さらには、支持構造体は、リスナーの乗り込みを容易にするように、手動または自動で、電気式、油圧式、または機械式に、傾斜自在、シフト自在、または格納自在とすることができる。ラウドスピーカアレイ１０４及び１０５は、ラウドスピーカアレイ１０４及び１０５を支持構造体１１３に固定することができるそれぞれの（ベント付きまたはベントなしの）ハウジング１１４及び１１５に組み込まれていてよい。
【００１２】
図２は、図１に示されている装置の正面図であり、ここでは、ｚ軸は、ラウドスピーカ１０５（加えてまたは代替として、１０４）の中央点Ａを横切り（起点とし）、かつ垂直方向に延びる直線矢印Ｚによって示されている。ｙ軸は、ラウドスピーカ１０５（１０４）の中央点Ａを起点とし、かつラウドスピーカアレイから垂直に横切る（ラウドスピーカアレイから離れて垂直に延びる）直線矢印Ｙによって示され、ｚ軸とｙ軸との間の角度αは、曲線矢印によって示されている。さらには、ラウドスピーカアレイ１０４及び１０５の中央点は、点Ａ及び点Ｂによって図２に示されている。中央点Ａ（ならびに中央点Ｂ）は、ｚ軸に沿うレベルから見て、リスナーの下顎１１０のレベルに対応し得、ラウドスピーカアレイ１０４及び１０５が組み込まれている筐体１１４、１１５の大きさは、明るいゾーンにおける音響及びＣＴＣ性能に悪影響を与えずに、遮るものがない全景をリスナー１０１が眺められるように寸法設定され得る。
【００１３】
さらには、このレベルで配設されるラウドスピーカアレイでは、作動中、リスナーの頭部で発生する反射は、より高いレベル、たとえば、耳レベルでの場合よりも少なく、その結果、より良いＣＴＣ性能がもたらされる。別の例では、点Ａと点Ｂとの間の距離は、ヘッドレスト１０２の幅よりも大きく、座席の背もたれの幅以下であるように選択される。その距離は、リスナー１０１の自由で安全な動きを可能にするように、たとえば、３５０ｍｍとすることができる。角度αによって表されるラウドスピーカアレイ１０５（１０４）の対応する傾斜は、０°から５０°の間くらいであるように選定され得る。角度αは、概して、明るいゾーンと暗いゾーンとの分離に、具体的には、部屋、たとえば、その天井を建築する、または被覆する際に利用される材料及び形状を考慮すると、何らかの重要性がある。たとえば、硬質な反射表面が、ガラスなどの天井に使用される場合、サウンド反射の角度により、席乗員の頭部及び天井に生じる反射、ならびにさらなる席乗員がこの室内でどこに着座しているかによって左右される反射によって、サウンドが、明るいゾーンから暗いゾーンに伝達されるようにすることが可能になる。したがって、角度αは、暗いゾーンで知覚することができる反射が最小限に抑えられるように選定され得る。たとえば、天井が反射しない（たとえば、サンルーフでない）場合、角度αは、天井（たとえば、天井材における吸音材料）の吸音特性が、サウンドを減衰させ、したがって、暗いゾーンに伝達される反射サウンドエネルギーを低減させるように、より大きく選択され得、このことは、ＣＴＣ性能を高める。たとえば、角度αは、約２０°であるように選定され得る。
【００１４】
図３は、図１及び図２に示されている装置の上面図であり、ここでは、ｘ軸は、ラウドスピーカアレイ１０５（加えてまたは代替として、１０４）の中央点Ａを横切り（起点とし）、かつ水平方向に延びる直線矢印Ｘによって示されている。この場合も、ｙ軸は、ラウドスピーカアレイ１０５（１０４）の中央点Ａを横切り（起点とし）、かつｘ軸に対する角度β（曲線矢印によって示されている）の下にラウドスピーカアレイ１０５（１０４）から離れて延びる直線矢印Ｙによって示されている。ラウドスピーカアレイ１０４及び１０５の中央点は、点Ａ及び点Ｂによって図３に示されている。中央点Ａ及びＢは、中央点ＡとＢとの間の仮想線が、リスナーの耳１０６、１０７を横切るように配置され得、それにより、明るいゾーン性能とＣＴＣとの間の最適バランスが可能になり、それは、ラウドスピーカアレイが、耳の後ろ、すなわち、ヘッドレストのより近くに配置されて、それにより、明るいゾーンにおける音響がより悪くなり、ＣＴＣが幾分、より良くなることを示すのとは対照的である。ラウドスピーカアレイをｘ方向にヘッドレストからさらに離れるように配設した場合、知覚可能なスイートスポット領域もまた、前方に移動し、その結果、明るいゾーンにおける音響はより良くなるが、ＣＴＣは幾分、より悪くなる。ヘッドレストからラウドスピーカアレイの中央位置までの距離は、たとえば、約１３０ｍｍとすることができる。
【００１５】
角度βによって表されるラウドスピーカアレイの対応する傾斜は、０°から３０°の間くらいであるとすることができる。この角度は、この傾斜が、すぐ隣の席乗員位置の方向以外の方向にサウンドをリスナーの頭部において反射させることを可能にするという点で、明るいゾーンと暗いゾーンとの分離に何らかの重要性がある。この傾斜角度はまた、明るいゾーンの拡大を可能にし、頭部が聴き取り位置付近に向かって移動する場合でも、知覚された性能に有益である。この傾斜角度により、リスナーの頭部に利用可能な領域も広げることが可能になる。角度βは、たとえば、約１５°とすることができる。
【００１６】
図４は、図１〜図３に示された装置の側面図であり、ここでは、図２及び図３に関連して上述したｘ軸及びｚ軸は、ｘ軸とｚ軸との間の傾斜角度γに関連して示されている。この傾斜角度は、ラウドスピーカアレイ１０５（１０４）の指向性パターン（放射特性）が回転対称であることにより、ゾーン分離及びＣＴＣに大きい影響を与えない。
【００１７】
図５〜図７を参照すると、ラウドスピーカアレイ１０４及び１０５はそれぞれ、１つまたは複数のラウドスピーカを含むことができる。図５に示されているように、最小構成では、アレイ（及びハウジング５０２）ごとに１つのラウドスピーカ５０１が利用される。この最小構成は、費用及び空間の理由で採用され得る。この構成では、ラウドスピーカ表面の中央点は、ｘ軸に沿ってリスナーの耳（複数可）の位置に対応する適所に設置可能なアレイの中央点Ａ（Ｂ）を形成する。装置全体の性能は、２つ以上のスピーカを使用することによって、さらに改善し得る。しかしながら、ラウドスピーカの数に関する改善の範囲を考慮すると、アレイごとに２つのラウドスピーカが、最良の費用対性能比をもたらすことがわかっている。図６に示されているように、アレイ６０３（及びハウジング６０４）ごとに２つのラウドスピーカ６０１と６０２が使用される場合、ラウドスピーカの中央点Ａ（Ｂ）を、ラウドスピーカ６０１と６０２との間に正確に設置すると、ｘ軸に沿ってリスナーの耳（複数可）の位置に一致させることができる。代替として、中央点は、ラウドスピーカ６０１または６０２のいずれかの中央とすることができる。さらなる例では、アレイごとに２つ（以上）のラウドスピーカは、互いに可能な限り近接して設置される。さらには、各スピーカは、オプションで、それ自体の封止された音響容量部により作動することができ、それにより、各スピーカは、最大限可能な限り互いに干渉しないようになる。アレイごとに２つ以上のラウドスピーカを採用すると、明るいゾーンにおける音響ならびにＣＴＣ性能をさらに改善させるのにビーム形成アルゴリズムの使用も可能になる。
【００１８】
図７に示されているさらなる例では、異なるスペクトル特性を有する２つのラウドスピーカ７０１及び７０２が、ハウジング７０４に組み込まれているアレイ７０３を形成する。異なるサウンドゾーンの低周波数分離を改善するために、ラウドスピーカのうちの一方、たとえば、ラウドスピーカ７０１は、ウーファまたは適切なミッドレンジラウドスピーカなどのより低い周波数のラウドスピーカである。もう一方のラウドスピーカ７０２は、適切なミッドレンジラウドスピーカまたはツイータなどのより高い周波数のラウドスピーカとすることができる。
【００１９】
さらなる例では、ラウドスピーカ７０２の中央点は、アレイ７０３の中央点Ａ（Ｂ）を形成することができる。なおもさらなる例では、アレイ７０３の中央点Ａ（Ｂ）は、ｘ軸に沿ってリスナーの耳（複数可）の位置の近くに位置決めされ得、一方、より低い周波数のラウドスピーカ７０１は、リスナーの耳（複数可）の位置の後ろ、すなわち、ラウドスピーカ７０２の位置よりもヘッドレストの近くにｘ軸に沿った位置に設置される。さらなる例では（図示せず）、より低い周波数のラウドスピーカはまた、ヘッドレストまたは背もたれに直接、設置可能であるが、リスナーの耳位置を指し示すことができる。ヘッドレスト、より大きくは、背もたれは、たとえば、個々のサウンドゾーンシステム及びロードノイズ制御システムなど、いくつかの適用例において利用され得る、より高電力、より低い周波数のラウドスピーカなど、より大きいラウドスピーカを搭載することが可能である。
【００２０】
さらなる例では、より低い周波数のラウドスピーカ７０１及びより高い周波数のラウドスピーカ７０２は、互いに可能な限り近接して配置される。しかしながら、設計、安全性、または間隔取りの理由により、より低い周波数のラウドスピーカをヘッドレストのより近くに、ヘッドレスト内に、または背もたれ内に移動させることが望ましい場合もあり得る。ラウドスピーカ位置のこの変更は、低周波数のＣＴＣ性能の悪化につながるおそれがあるが、このことは、より強力なラウドスピーカを使用することによって克服することができ、したがって、より低い周波数のラウドスピーカが個々のゾーンにごく接近していることに起因する、一般的な配置に対する低周波数性能の何らかの改善を提案し、それにより、ＣＴＣ性能の大きい改善が可能になる。
【００２１】
再度、図１に示されている例を参照すると、支持構造体１１３は、この場合、すでに概説したように、多片構造体であり、この支持構造体１１３は、ハウジング１１４、１１５のすべての側面内でハウジング１１４、１１５を囲繞することによってラウドスピーカアレイ１０４、１０５が組み込まれているハウジング１１４及び１１５の担体として機能する２つの終片１１６及び１１７を有し、一方、前方側は、所望の離脱縁部が現れるように設計され、それにより、乗り手の安全性が改善されるだけでなく、高周波数でのより良い音響性能が明るいゾーンにおいて知覚できるようになることが見出されている。また、５〜１０ｍｍの深さを有する硬質な離脱縁部（軟質成形物を含まない）が、ＣＴＣに対するマイナス効果なしに、優れた音響成果をもたらすことも見出されている。導波路１１９（１２０）が、ハウジング１１４（１１５）と終片１１６（１１７）との間に配置されている。ハウジング１１４（１１５）は、終片１１６（１１７）の内部に向かってシフト可能である。導波路１１９（１２０）は、より高い周波数性能を、たとえば最大で２０ｋＨｚまで高めるように硬質な離脱縁部を含むことができる。
【００２２】
図１をさらに参照すると、アレイ内に１つまたは複数のマイクロフォン１１８を組み込むことによって、マイクロフォンの位置が、図１の例に示されている例では、担体１１６、１１７の前方部と後方部との間の（上側半分の）中央におけるハウジング１１４、１１５の上にあるリスナーの口または耳の可能な位置に極めて接近するので、個々のサウンドゾーンシステム、及びハンズフリー電話システム、車載用通信システム、自動ノイズ制御システムなどの同様の要件を含むシステムにおけるハウジングならびに／または担体は、同様に改善し得る。ｘ軸に沿う担体の位置に応じて、マイクロフォン（複数可）は、代替として、担体の前方部または後方部に配設され得る。代替として、マイクロフォン（複数可）は、担体の代わりに、ハウジングまたはラウドスピーカアレイ内に組み込まれていてもよい。１つまたは複数のマイクロフォンが頭部のいずれかの側に配設される場合、これにより、リスナーが頭部を回転させたときに、記録された音声レベルのずれを回避することができる。ビーム形成は、性能をさらに改善するように適用され得、それによって、効果的な信号対ノイズ比（ＳＮＲ）が増加する。しかしながら、マイクロフォン位置（複数可）が、大抵の状況では、残響半径内にすでにかなりあるので、大抵の場合には、側面ごとの単一のマイクロフォンで、十分に行うことができる。いくつかの例では、マイクロフォンは、ラウドスピーカのように、リスナーの頭部、たとえば、乗り手の口に向けられる。このように、ハウジング及び／または担体の遮音効果は、乗り手の口以外のサウンド源からのサウンドを抑制するのに役立つ。
【００２３】
実施形態の説明は、図示及び説明の目的で提示されている。実施形態に対する好適な修正形態及び変形形態は、上記の説明に照らして実行されてもよく、または方法を実践することから得られてもよい。記載される装置は、本質的に例示であり、追加の要素を含み、および／または要素を省略してもよい。
【００２４】
本出願で使用されるとき、単数で列挙され、用語「ａ」または「ａｎ」で進めた要素は、複数の前記要素またはステップの除外を、このような除外が規定されない限り、しないとして理解されるべきである。さらに、本開示の「１つの実施形態」または「１つの例」に対する言及は、列挙される特徴も組み込む追加の実施形態の存在を除外すると解釈されることを意図されない。「第１の（ｆｉｒｓｔ）」、「第２の（ｓｅｃｏｎｄ）」、及び「第３の（ｔｈｉｒｄ）」という用語などは、単にラベルとして使用されているにすぎず、数値要件、またはそれらの物体における特定の位置順序を課すように意図するものではない。
【００２５】
本発明の様々な実施形態について説明してきたが、より多くの実施形態及び実施態様が本発明の範囲内で可能であることは当業者には明らかになろう。具体的には、当業者は、異なる実施形態から様々な特徴の互換性を認識するであろう。これらの技法及び装置について、特定の実施形態及び例の文脈において開示しているが、これらの技法及びシステムは、具体的に開示された実施形態を越えて他の実施形態、ならびに／または使用法及びその明らかな修正形態まで及ぶことがあることが理解されよう。
【図１】
2020063036.tif 000003
【図２】
2020063036.tif 000004
【図３】
2020063036.tif 000005
【図４】
2020063036.tif 000006
【図５】
2020063036.tif 000007
【図６】
2020063036.tif 000008
【図７】
2020063036.tif 000009